(57)【要約】【課題】自動販売機への固定状態で、本体金具に打撃を加えても移動することがないようにし、開扉防止機能を十分に維持することができる開扉防止装置を提供する。【解決手段】自動販売機Ａの側壁等の外面にボルトで固定する本体金具２と、自動販売機Ａの扉Ｃの外面に固定する扉係止金具３と、上記本体金具２に対して固定ボルトを隠蔽するよう取り付けるカバー金具４とからなり、上記扉係止金具３の一端側に、閉扉状態で本体金具２の先端部に外嵌する嵌合部５を設け、この扉係止金具３に、上記嵌合部５に対して出没し、上記本体金具２の先端部に設けたラッチ孔６に係脱するラッチ７が設けられ、上記本体金具２を自動販売機Ａの側壁へ移動しないよう固定するため、本体金具２の固定壁１０に設けた二本のボルト用長孔間に前後方向に沿って間欠的に配置した複数のボルト用固定孔２８が設けてある。【選択図】図２
2005076343.tif 000002
【特許請求の範囲】
【請求項１】
自動販売機の側壁等の外面に、その先端側を扉側に所定長さだけ突出するようボルトで固定する本体金具と、自動販売機の扉の外面に、その一端側が本体金具の固定側に突出するよう固定する扉係止金具と、上記本体金具に対して固定ボルトを隠蔽するよう取り付けるカバー金具とからなり、上記扉係止金具の一端側に、閉扉状態で本体金具の先端部に外嵌する嵌合部を設け、この扉係止金具に、上記嵌合部に対して出没し、上記本体金具の先端部に設けたラッチ孔に係脱するラッチを備えた錠装置を組み込んだ自動販売機の開扉防止装置において、
上記本体金具の自動販売機の側壁等への固定壁に、前後方向に沿って平行状に設けた複数のボルト用長孔と、前後方向に沿って間欠的に配置した複数のボルト用固定孔とを設けたことを特徴とする自動販売機の開扉防止装置。
【発明の詳細な説明】
【技術分野】
【０００１】
この発明は、自動販売機に対して補助的に取付けることで開扉を困難にし、自動販売機内の金品や商品の盗難を防止できるようにする自動販売機の開扉防止装置に関する。
【背景技術】
【０００２】
自動販売機は、その内部に、販売せんとする商品だけでなく、多額の釣り銭や売り上げ金が収納されているため、夜間や人通りの少ない場所に設置された自動販売機から金品等を窃盗する犯罪が近年多発しており、この窃盗の手口は、一般的に、扉の錠前を破壊して開扉することによって行われる。
【０００３】
また、自動販売機の内部には、高価な電子制御装置が組み込まれており、金品を目的とした窃盗時にこの電子制御装置が破壊されることが多々あり、金品の窃盗以上に大きな経済的損害を被ることになる。
【０００４】
このような犯罪に対処するため、自動販売機の扉の錠前を破壊しても開扉することができないようにする、窃盗防止装置がすでに提案されている。
【０００５】
従来の窃盗防止装置には、鎖式やバー式等の構造が異なる幾つかのタイプがあり、この発明の対象とするＬ型施錠式の開扉防止装置もその一つである。
【０００６】
従来のＬ型施錠式の開扉防止装置１は、図５乃至図７に示すように、自動販売機Ａの本体Ｂにおける側壁の外面に、その先端側を扉Ｃ側に所定長さだけ突出するようボルトで固定する本体金具２と、自動販売機Ａの扉Ｃの外面に、その一端側が本体金具２を固定した側に突出するよう固定する扉係止金具３と、上記本体金具２に対して固定ボルトを隠蔽するよう取り付けるカバー金具４との組み合わせからなり、上記扉係止金具３の一端側に、閉扉状態で本体金具２の先端部に外嵌する嵌合部５を設け、この扉係止金具３に、上記嵌合部５に対して出没し、上記本体金具２の先端部に設けたラッチ孔６に係脱するラッチ７を備えた錠装置８を組み込んだ構造になっている。
【０００７】
上記のような開扉防止装置１は、自動販売機Ａの側壁等の外面に本体金具２をボルト９で固定して外面をカバー金具４で覆い、扉Ｃの外面に扉係止金具３を固定し、扉Ｃを閉じた状態で扉係止金具３の嵌合部５が本体金具２の先端部に外嵌し、扉係止金具３の錠装置８を錠前で操作してラッチ７をラッチ孔６に係合させた施錠状態とすれば、扉Ｃの錠前が破壊されても、扉Ｃはこの開扉防止装置１で開扉不能となり、自動販売機Ａに対する金品の窃盗や高価な電子制御装置の破壊を防ぐことができる。
【０００８】
ところで、このような開扉防止装置１において、本体金具２の自動販売機Ａに対する取付けは複数本のボルト９を用いて行われるが、自動販売機Ａの扉Ｃは、機種やメーカによって厚みが異なり、このため、本体金具２の自動販売機Ａへの固定構造は、扉係止金具３との関係から、扉Ｃの厚みの変動に対応して固定位置を前後に調整可能となる構造が要求される。
【０００９】
従来、本体金具２の自動販売機Ａに対する取付け構造は、本体金具２における自動販売機Ａの側壁等への固定壁１０に、二本のボルト用長孔１１を前後方向に沿って平行状に設け、各長孔１１の部分にナット１２を長孔１１の長さ方向に移動可能となるよう、溝付きのホルダー金具１３で保持して配置し、自動販売機Ａの側壁等に設けた孔１４に内側から貫通させたボルト９を上記ナット１２に螺合することにより、本体金具２を自動販売機Ａに固定している。
【００１０】
上記本体金具２の自動販売機Ａに対する固定時において、固定位置を扉Ｃの厚みの変化に対応して前後に調整するには、ナット１２に螺合したボルト９を緩めた状態で、長孔１１に沿って本体金具２を前後に移動させ、本体金具２の先端側が扉係止金具３の嵌合部５に嵌まり合うように位置調整した後、ボルト９を締め付けて本体金具２を自動販売機Ａの側壁に固定化するものである。
【発明の開示】
【発明が解決しようとする課題】
【００１１】
ところで、上記のような本体金具２の固定構造は、長孔１１に沿って移動可能となる条件のナット１２を介してボルト９で締め付け固定するため、ボルト９を強固に締め付けて本体金具２を自動販売機Ａの側壁に固定したとしても、本体金具２に端部から長さ方向への打撃力を加えることにより、本体金具２を長さ方向へ移動させることが容易に行えることになり、このため、開扉防止装置１を自動販売機Ａに取り付けた閉扉状態で、本体金具２に長さ方向への打撃力を加え、扉係止金具３を本体金具２で押圧することで扉Ｃから脱落させ、開扉防止装置１を破壊させた後、自動販売機Ａの錠前を破壊することによる開扉の可能な状態にすることができ、このため、従来の開扉防止装置１は開扉防止機能を十分に発揮することができないという問題がある。
【００１２】
そこで、この発明の課題は、自動販売機への固定状態で、本体金具に打撃を加えても長さ方向へ移動することがないようにし、開扉防止機能を十分に維持することができる開扉防止装置を提供することにある。
【課題を解決するための手段】
【００１３】
上記のような課題を解決するため、この発明は、自動販売機の側壁等の外面に、その先端側を扉側に所定長さだけ突出するようボルトで固定する本体金具と、自動販売機の扉の外面に、その一端側が本体金具の固定側に突出するよう固定する扉係止金具と、上記本体金具に対して固定ボルトを隠蔽するよう取り付けるカバー金具とからなり、上記扉係止金具の一端側に、閉扉状態で本体金具の先端部に外嵌する嵌合部を設け、この扉係止金具に、上記嵌合部に対して出没し、上記本体金具の先端部に設けたラッチ孔に係脱するラッチを備えた錠装置を組み込んだ自動販売機の開扉防止装置において、上記本体金具の自動販売機の側壁等への固定壁に、前後方向に沿って平行状に設けた複数のボルト用長孔と、前後方向に沿って間欠的に配置した複数のボルト用固定孔とを設けた構成を採用したものである。
【００１４】
上記ボルト用長孔には、この長孔の長さ方向に移動自在となるナットが、固定壁に溶接した溝付きのホルダー金具で保持することによって配置され、自動販売機の側壁等に設けた孔に内側から貫通させたボルトを上記ナットに螺合することにより、本体金具を自動販売機に固定するようになっており、このナットが移動できるので、本体金具は自動販売機の側壁等への固定時に前後の位置調整が可能となる。
【００１５】
また、ボルト用固定孔は、固定壁の平行するボルト用長孔の間に、一定間隔で間欠的な配置に設けられ、上記ナットとボルトによる本体金具の位置決め固定後に、自動販売機の側壁等に適宜位置のボルト用固定孔に合わせて貫通孔を穿設し、側壁等の内面側から貫通孔とボルト用固定孔にボルトを挿通し、ボルトの固定壁側に突出した部分にナットを螺合して締め付ければ、本体金具を長さ方向に移動不能となるよう固定化することができる。
【発明の効果】
【００１６】
以上のように、この発明によると、自動販売機の側壁等に固定する本体金具と、自動販売機の扉の外面に固定する扉係止金具と、上記本体金具に対して固定ボルトを隠蔽するよう取り付けるカバー金具とからなり、上記扉係止金具の一端側に、閉扉状態で本体金具の先端部に外嵌する嵌合部を設け、この扉係止金具に、上記嵌合部に対して出没し、上記本体金具の先端部に設けたラッチ孔に係脱するラッチを備えた錠装置を組み込んだ自動販売機の開扉防止装置において、上記本体金具を自動販売機の側壁等へ固定するため、上記本体金具の自動販売機の側壁等への固定壁に、前後方向に沿って平行状に設けた複数のボルト用長孔と、前後方向に沿って間欠的に配置した複数のボルト用固定孔とを設けたので、自動販売機の側壁等へ固定した本体金具は、ボルト用固定孔とこれを貫通するボルトによって、外部から打撃を加えても何れの方向への移動発生がなくなり、施錠した本体金具と扉係止金具を簡単に破壊することができないので、自動販売機の扉の錠前を破壊して開扉しようとする窃盗行為を有効に防ぐことができる。
【発明を実施するための最良の形態】
【００１７】
以下、この発明の実施の形態を図示例と共に説明する。なお、従来の開扉防止装置と同一部分には同一符号を付して説明する。
【００１８】
図１乃至図４に示すように、この発明の開扉防止装置２１は、自動販売機Ａの側壁等の外面に、その先端側を扉Ｃ側に所定長さだけ突出するようボルト９で固定する本体金具２と、自動販売機Ａの扉Ｃの外面に、その一端側が本体金具２の固定側に突出するよう固定する扉係止金具３と、上記本体金具２に対して固定ボルト９を隠蔽するよう取り付けるカバー金具４とで形成され、本体金具２を自動販売機Ａの側壁等に固定する場合に用いるスペーサ２２が別途用意されている。
【００１９】
上記本体金具２は、十分な強度のある板厚の金属板を用い、前後に長い長方形となる固定壁１０の上下端に対向壁２３と、後端部に後壁２４を折り曲げ連成して形成され、上記固定壁１０の上下位置に、前後方向に沿って長い二本のボルト用長孔１１を平行状に設け、この固定壁１０の先端中央部に上下に長いラッチ孔６と、後壁２４の中央部にカバー金具４の係止孔２５が設けられ、更に、上記固定壁１０の先端側でラッチ孔６の後方位置にカバー金具４を固定するための係止片２６が溶接され、この係止片２６にボルト挿通孔２７が穿設されている。
【００２０】
上記固定壁１０に設けたボルト用長孔１１には、この長孔１１の長さ方向に移動自在となるナット１２が、固定壁１０に溶接した溝付きのホルダー金具１３で回転不能に保持することによって配置され、また、固定壁１０の平行するボルト用長孔１１の間に、複数のボルト用固定孔２８が、本体金具２の前後方向に沿って一定間隔の間欠的な配置に設けられている。
【００２１】
上記扉係止金具３は、十分な強度のある板厚の金属板を用い、矩形状の薄いケース状に形成され、その一端側に、上記本体金具２の先端部に外嵌する嵌合部５が背面側で開口する凹溝状に設けられ、この扉係止金具３の内部に、上記嵌合部５に対して出没し、上記本体金具２の先端部に設けたラッチ孔６に係脱するラッチ７を備えた錠装置８が組み込まれ、この錠装置８は、扉係止金具３の前面に位置する錠前挿入部に錠前を差し込んで操作することにより、ラッチ７をラッチ孔６に係脱させると共に、ラッチ孔６へのラッチ７の係止状態を施錠できるようになっている。
【００２２】
上記カバー金具４は、十分な強度のある板厚の金属板を用い、外板２９の上下端に対向壁３０と、後端部に後壁３１を折り曲げ連成し、上記本体金具２に対して外嵌するように形成され、このカバー金具４の後壁３１の内面には、本体金具２の係止孔２５に対する係止片３２が溶接され、外板２９の先端側内面に本体金具２の係止片２６と重なり合うことのできる係止片３３が溶接され、この係止片３３に溶接したナット３４に螺合するビス３５で両係止片２６と３３を固定化するようになっている。
【００２３】
上記スペーサ２２は、本体金具２の固定壁１０よりも前後の長さが少し短く幅が同様の厚みのある金属板を用いて形成され、固定壁１０の外面に重ねた状態で、固定壁１０のボルト用長孔１１とボルト用固定孔２８に重なる３本の長孔３６が長さ方向に沿って設けられ、本体金具２を自動販売機Ａの側壁等に固定するとき、例えば、扉Ｃの周囲に張出部Ｃ1 があるような場合や、自動販売機Ａの側壁における扉Ｃの受け部分が扉Ｃから外方に張出しているような場合に、この張出部Ｃ1 や外方に張出している部分を逃がすために、本体金具２の固定壁１０と自動販売機Ａの側壁等の間に介在させるものである。
【００２４】
この発明の開扉防止装置は上記のような構成であり、次に自動販売機に対する使用方法を説明する。
【００２５】
図２と図３のように、例えば、自動販売機Ａの本体Ｂの側壁で扉Ｃ寄りの位置にボルト挿通用の２個の孔３７を、本体金具２のボルト用長孔１１の間隔に合わせて穿設し、側壁の外面で上記孔３７を穿設した位置に本体金具２の固定壁１０を重ね、側壁の内面側から孔３７に挿入したボルト９を固定壁１０に取り付けたナット１２に螺合し、本体金具２を側壁に対して仮り取付けの状態とすると共に、自動販売機Ａの扉Ｃの前面には、本体金具２と対応する位置に扉係止金具３を扉Ｃの内面側からのボルト等による取付けによって固定する。
【００２６】
上記扉係止金具３の固定は、図２のように、嵌合部５が扉Ｃの側縁から外方に突出する配置とすると共に、仮り取付けの状態である本体金具２は、ナット１２の移動性を利用して前後の位置を、扉Ｃの閉扉状態でその先端側が扉係止金具３の嵌合部５内に嵌まり合うよう調整し、この調整後にボルト９を締め付けて本体金具２を側壁に固定化する。
【００２７】
次に、自動販売機Ａの側壁に対して、固定壁１０に設けた適宜位置のボルト用固定孔２８と対応する位置にボルト挿通孔３８を穿設し、側壁の内面側からボルト挿通孔３８に挿入したボルト３９を対応するボルト用固定孔２８に挿入し、固定壁１０の内面側に突出したボルト３９にナット４０を螺合して締め付けることにより、本体金具２をこのボルト３９によっても側壁に固定化する。
【００２８】
図示の場合、上記２個の孔３７とボルト挿通孔３８を一列に並ぶ配置に穿設した場合を示し、帯状の支持板４１をナット１２に螺合したボルト９に両端を外嵌してホルダー金具１３上に架設し、ボルト用固定孔２８のボルト３９に螺合したナット４０をこの支持板４１で受けるようにしている。
【００２９】
また、図示の例では、自動販売機Ａの扉Ｃの周囲に張出部Ｃ1 があり、この張出部Ｃ1 を逃がすために、本体金具２の固定壁１０と自動販売機Ａの側壁等の間にスペーサ２２を介在させている。
【００３０】
上記のように、自動販売機Ａの側壁に本体金具２を固定化すると、本体金具２の外側にカバー金具４を臨ませ、このカバー金具４に設けた係止片３２を本体金具２の後壁２４に設けた係止孔２５に引っかけながらカバー金具４を本体金具２に被せると、カバー金具４に設けた係止片３３が本体金具２の係止片２６に重なり、本体金具２の先端側から臨ませたビス３５で両係止片２６と３３を結合すれば、カバー金具４は本体金具２に固定化されると同時に本体金具２の外面を覆うことになり、これによって、本体金具２を自動販売機Ａの側壁に固定するボルト９、３９やナット４０及び、カバー金具４の係止片３２と本体金具２の係止孔２５の係合部が隠蔽され、かつ、両係止片２６と３３の結合ビス３５は扉係止金具３によって覆われるので、本体金具２とカバー金具４を外部からの破壊ができないことになる。
【００３１】
このようにして、自動販売機Ａへの取付けが完了した開扉防止装置２１は、図２のように、自動販売機Ａの扉Ｃを閉じた状態で、本体金具２の先端側に扉係止金具３の嵌合部５が外嵌し、扉係止金具３の前面に位置する錠装置８の錠前挿入部に錠前を差し込んでラッチ７を突出操作し、本体金具２のラッチ孔６に係合させると、本体金具２と扉係止金具３は開扉方向に対して結合状態が施錠され、扉Ｃの開放を不可能にする。
【００３２】
また、扉Ｃの開放が必要なときは、錠装置８の錠前挿入部に錠前を差し込んでラッチ７を没入操作し、ラッチ孔６との係合を解いて開錠とすればよく、扉Ｃは錠前を開錠することで開くことができる。
【００３３】
上記のような開扉防止装置２１は、自動販売機Ａの側壁に対する本体金具２の固定が、二本のボルト用長孔１１の部分での固定構造によって前後方向の位置調整が行えると同時に、前後方向に沿って間欠的に配置した複数のボルト用固定孔２８でのボルト３９とナット４０による固定構造で、カバー金具４を介して本体金具２に外部から打撃を加えても、何れの方向へも移動の発生がなく、施錠した本体金具２と扉係止金具３を簡単に破壊することができないので、自動販売機Ａの扉Ｃの錠前を破壊して開扉しようとする窃盗行為を有効に防ぐことができることになる。
【００３４】
なお、開扉防止装置２１の取付けは、図示のような扉Ｃと本体Ｂの側壁との間に限ることはなく、扉Ｃと本体Ｂの四周囲の何れの位置にでも取り付けることができる。
【図面の簡単な説明】
【００３５】
【図１】この発明の開扉防止装置を示す分解斜視図
【図２】開扉防止装置を自動販売機に取り付けた施錠状態を示す一部切り欠き平面図
【図３】（Ａ）は開扉防止装置における本体金具の一部切り欠き正面図、（Ｂ）は（Ａ）の矢印ｂ−ｂに沿った縦断側面図
【図４】開扉防止装置における扉係止金具の一部切り欠き背面図
【図５】従来の開扉防止装置を自動販売機に取り付けた状態を示す斜視図
【図６】従来の開扉防止装置を示す分解斜視図
【図７】（Ａ）は従来の開扉防止装置を自動販売機に取り付けた施錠状態を示す一部切り欠き平面図、（Ｂ）は（Ａ）の矢印ｂ−ｂでの縦断側面図
【符号の説明】
【００３６】
１    開扉防止装置
２    本体金具
３    扉係止金具
４    カバー金具
５    嵌合部
６    ラッチ孔
７    ラッチ
８    錠装置
９    ボルト
１０  固定壁
１１  長孔
１２  ナット
１３  ホルダー金具
１４  孔
２１  開扉防止装置
２２  スペーサ
２３  対向壁
２４  後壁
２５  係止孔
２６  係止片
２７  ボルト挿通孔
２８  ボルト用固定孔
２９  外板
３０  対向壁
３１  後壁
３２  係止片
３３  係止片
３４  ナット
３５  ビス
３６  長孔
３７  孔
３８  ボルト挿通孔
３９  ボルト
４０  ナット
【図１】
2005076343.tif 000003
【図２】
2005076343.tif 000004
【図３】
2005076343.tif 000005
【図４】
2005076343.tif 000006
【図５】
2005076343.tif 000007
【図６】
2005076343.tif 000008
【図７】
2005076343.tif 000009